【手続補正書】
【提出日】令和2年9月8日(2020.9.8)
【手続補正１】
【補正対象書類名】明細書
【補正対象項目名】０００６
【補正方法】変更
【補正の内容】
【０００６】
本開示の一態様は、複数の要素画素群を含み、前記複数の要素画素群のそれぞれが再生像を表示するための要素画像を表示する、表示モジュールと、複数の要素レンズを含み、前記複数の要素画素群の前に前記複数の要素レンズの各要素レンズが配置されている、要素レンズアレイと、複数のディオプタ調整素子を含み、前記複数の要素レンズの各要素レンズの前に、ディオプタ調整素子が配置されている、ディオプタ調整素子アレイと、制御部と、を含み、前記制御部は、前記複数のディオプタ調整素子の一部を、ユーザの眼の一方の視力に対して制御し、前記複数のディオプタ調整素子の他の部分を、前記ユーザの眼の他方の視力に対して制御する、表示装置である。
【手続補正２】
【補正対象書類名】明細書
【補正対象項目名】０００８
【補正方法】変更
【補正の内容】
【０００８】
【図１Ａ】本実施形態に係る、視力補正表示装置の論理構成例を模式的に示す。
【図１Ｂ】視力補正表示装置のハードウェア構成例を模式的に示す。
【図１Ｃ】視力補正表示モジュールの構成例を模式的に示す。
【図２Ａ】元画像の一例を示す。
【図２Ｂ】ユーザに視認される像を、視力補正表示モジュールの前、つまり、視力補正表示モジュールとユーザとの間に形成するための、要素画像を示す。
【図３Ａ】液晶レンズが存在しない場合の、要素画素群の一点からの光線を模式的に示す。
【図３Ｂ】液晶レンズによる再生像の補正を模式的に示す。
【図４Ａ】図３Ａを参照した説明を、左右の眼の双方に適用する例を示す。
【図４Ｂ】図３Ｂを参照した説明を、左右の眼の双方に適用する例を示す。
【図５Ａ】液晶レンズが存在しない場合の、要素画素群の一点からの光線を模式的に示す。
【図５Ｂ】液晶レンズによる再生像の補正を模式的に示す。
【図６】図５Ｂを参照した説明を、左右の眼の双方に適用する例を示す。
【図７Ａ】元画像の一例を示す。
【図７Ｂ】ユーザに視認される像を、視力補正表示モジュールの背後に形成するための、要素画像を示す。
【図８Ａ】液晶レンズが存在しない場合の、要素画素群の一点からの光線を模式的に示す。
【図８Ｂ】液晶レンズによる再生像の補正を模式的に示す
【図９Ａ】図８Ａを参照した説明を、左右の眼の双方に適用する例を示す。
【図９Ｂ】図８Ｂを参照した説明を、左右の眼の双方に適用する例を示す。
【図１０】表示制御部の処理フローを示す。
【図１１】近視のユーザのために再生像を補正する視力補正表示モジュールを模式的に示す。
【図１２】右眼用領域及び左眼用領域が接する領域近傍を模式的に示す。
【図１３】遠視のユーザのために再生像を補正する視力補正表示モジュールを模式的に示す。
【図１４】右眼用領域及び左眼用領域が接する領域近傍を模式的に示す。
【図１５】右眼用領域と左眼用領域とが接する領域の近傍で表示される要素画像は、右眼及び左眼の双方によって視認され得ることを模式的に示す。
【図１６】液晶レンズアレイのディオプタ制御の他の例を示す。
【図１７】視力補正表示装置の他の論理構成例を模式的に示す。
【手続補正３】
【補正対象書類名】明細書
【補正対象項目名】００６７
【補正方法】変更
【補正の内容】
【００６７】
［液晶レンズによる遠視補正］
以下において、液晶レンズによる遠視の視力補正を説明する。ユーザが遠視の場合、視力補正表示装置１は、視力補正表示モジュール２０の背後の位置で視認される像を表示する。図７Ａに元画像５３の一例を示す。元画像５３は、アルファベット「ＡＢＣ」を示す。元画像５３を囲む破線矩形枠は、要素画素群の表示領域の外形に対応する。本例においては、表示される再生像は、奥行が０の立体像、つまり、平面像である。元画像５３は、奥行が視認される立体像を表示するための情報を含んでもよい。
【手続補正４】
【補正対象書類名】明細書
【補正対象項目名】００６８
【補正方法】変更
【補正の内容】
【００６８】
図７Ｂに、ユーザに視認される像を、視力補正表示モジュール２０の背後に形成するための、要素画像５３１を示す。各要素画素群２１１が、一つの要素画像５３１を表示する。各要素画素群２１１は、元画像５３の再生像を特定の位置でユーザに視認させるために適切な要素画像５３１を表示する。
【手続補正５】
【補正対象書類名】明細書
【補正対象項目名】００７７
【補正方法】変更
【補正の内容】
【００７７】
液晶レンズ２５１からの収束光は、ユーザの眼３０に入射する。眼３０への入射角度の変化により、眼３０への入射光の焦点が網膜の奥の位置から網膜上の位置Ｆ０に移動する。液晶レンズ２５１が、周辺光線の拡がり度合いをこのように変化させることで、距離Ｙの再生像が補正されて、眼３０による再生像のはっきりとした視認を可能とする。液晶レンズ２５１による補正は、再生像をユーザの眼３０のより遠くに移動することに相当する。遠視の眼３０は、再生像が遠くに移動することで、その光を網膜上に集光することができる。
【手続補正６】
【補正対象書類名】特許請求の範囲
【補正対象項目名】全文
【補正方法】変更
【補正の内容】
【特許請求の範囲】
【請求項１】
複数の要素画素群を含み、前記複数の要素画素群のそれぞれが再生像を表示するための要素画像を表示する、表示モジュールと、
複数の要素レンズを含み、前記複数の要素画素群の前に前記複数の要素レンズの各要素レンズが配置されている、要素レンズアレイと、
複数のディオプタ調整素子を含み、前記複数の要素レンズの各要素レンズの前に、ディオプタ調整素子が配置されている、ディオプタ調整素子アレイと、
制御部と、
を含み、
前記制御部は、
前記複数のディオプタ調整素子の一部を、ユーザの眼の一方の視力に対して制御し、
前記複数のディオプタ調整素子の他の部分を、前記ユーザの眼の他方の視力に対して制御する、
表示装置。
【請求項２】
請求項１に記載の表示装置であって、
前記制御部は、
前記ユーザの視力についての情報に基づいて、前記再生像の位置を決定し、
前記位置に基づいて前記複数の要素画素群それぞれの前記要素画像を生成する、
表示装置。
【請求項３】
請求項１に記載の表示装置であって、
前記制御部は、前記再生像の位置に基づいて、前記ユーザの眼それぞれの視力に対して制御するディオプタ調整素子を、前記複数のディオプタ調整素子から選択する、
表示装置。
【請求項４】
請求項１に記載の表示装置であって、
前記制御部は、
前記複数のディオプタ調整素子を、前記ユーザから前記ディオプタ調整素子アレイを視る方向を基準として、左右方向に複数の領域に分割し、
前記複数の領域の一部を、前記ユーザの眼の前記一方の視力に対して制御し、
前記複数の領域の他の一部を、前記ユーザの眼の前記他方の視力に対して制御する、
表示装置。
【請求項５】
請求項４に記載の表示装置であって、
前記複数の領域は、前記複数のディオプタ調整素子の左半分の領域と右半分の領域で構成されている、
表示装置。
【請求項６】
請求項４に記載の表示装置であって、
前記複数の領域は、右側領域、左側領域及び前記右側領域と前記左側領域の間の中央領域とで構成され、
前記制御部は、
前記右側領域を、前記ユーザの眼の前記一方の視力に対して制御し、
前記左側領域を、前記ユーザの眼の前記他方の視力に対して制御し、
前記中央領域を、前記ユーザのより悪い視力に対して制御する、
表示装置。
【請求項７】
請求項１に記載の表示装置であって、
前記制御部は、前記ディオプタ調整素子アレイを通過した光が集光することなく前記ユーザの眼に入射するように、前記ディオプタ調整素子アレイを制御する、
表示装置。
【請求項８】
請求項１に記載の表示装置であって、
前記制御部は、
前記再生像が前記表示モジュールの前に位置するように前記要素画像を生成し、
前記ディオプタ調整素子アレイを通過した光が集光した後に前記ユーザの眼に入射するように、前記ディオプタ調整素子アレイを制御する、
表示装置。
【請求項９】
請求項１に記載の表示装置であって、
前記制御部は、
前記複数のディオプタ調整素子の前記一部に対向する要素画像を表示した状態で、前記ユーザの眼の前記一方を指定したユーザ入力に応じて、前記複数のディオプタ調整素子の前記一部のディオプタ値を調整し、
前記複数のディオプタ調整素子の前記他の部分に対向する要素画像を表示した状態で、前記ユーザの眼の前記他方を指定したユーザ入力に応じて、前記複数のディオプタ調整素子の前記他の部分のディオプタ値を調整する、
表示装置。
【請求項１０】
請求項１に記載の表示装置であって、
さらに、前記ユーザの視線を追跡する視線追跡装置を含み、
前記制御部は、前記視線追跡装置の測定結果に基づいて、前記ディオプタ調整素子アレイにおいて、前記複数のディオプタ調整素子の前記一部と前記他の部分とを決定する、
表示装置。